(57)【要約】【課題】  集水した水を地中に浸透させることが可能であり、しかも強度的にも優れている透水性側溝を提供する。【解決手段】  両側又は片側の側壁部２を非透水性コンクリート２１と透水性コンクリート２２とで形成し、かつ透水性コンクリート２２の個所を側壁部２の下部側において長手方向に間隔をおいた個所とし、非透水性コンクリート２１の個所をその他の個所とし、さらに両側壁部内には、両側部３１を透水性コンクリート３３で形成し、かつ底面部３２を非透水性コンクリート３４で形成した底部３を配設した。【選択図】  図１
2005213917.tif 000002
【特許請求の範囲】
【請求項１】
両側又は片側の側壁部を非透水性コンクリートと透水性コンクリートとで形成し、かつ透水性コンクリートの個所を側壁部の下部側において長手方向に間隔をおいた個所とし、非透水性コンクリートの個所をその他の個所とし、さらに両側壁部内には、両側部を透水性コンクリートで形成し、かつ底面部を非透水性コンクリートで形成した底部を配設したことを特徴とする透水性側溝。
【請求項２】
透水性コンクリート部を部分的に備えた頂壁部を設けたことを特徴とする請求項１記載の透水性側溝。
【発明の詳細な説明】
【技術分野】
【０００１】
本発明は、道路等に沿って敷設して、路面の雨水等から集水した水を速やかに地中に浸透させる透水性側溝に関するものである。
【背景技術】
【０００２】
路面等から集水した水を地中に浸透させる透水性側溝は、通常、底面または側壁に透水性コンクリートを使用したものが使用されている（例えば、特許文献１参照）。
【特許文献１】特開平２００２−１３８５６０号公報
【０００３】
しかしながら、上述の透水性側溝は、透水性コンクリートを使用しているため、透水性には優れているが、強度的には決して十分ではなく、地震や地中の変動によって高度の圧力がかかった場合には、地中で破壊したり、亀裂を生じたりして、亀裂部等から水のほかに汚濁物さえも逸散してしまい、近隣の土地を汚染する恐れがあった。
【発明の開示】
【発明が解決しようとする課題】
【０００４】
本発明は、かかる現状に鑑み、路面等から集水した水を地中に浸透させることが可能であるのみならず、強度的にも優れており、地震や地中の変動によって高度の圧力がかかった場合にも地中で破壊することなく、水のみを透過させて近隣の土地に雨水による水分を供給し、動植物の繁殖を促進することが可能な透水性側溝を提供することを目的とするものである。
【課題を解決するための手段】
【０００５】
本発明は、上記の目的を達成するものであって、請求項１の発明は、両側又は片側の側壁部を非透水性コンクリートと透水性コンクリートとで形成し、かつ透水性コンクリートの個所を側壁部の下部側において長手方向に間隔をおいた個所とし、非透水性コンクリートの個所をその他の個所とし、さらに両側壁部内には、両側部を透水性コンクリートで形成し、かつ底面部を非透水性コンクリートで形成した底部を配設したことを特徴とする透水性側溝である。
【０００６】
請求項２の発明は、透水性コンクリート部を部分的に備えた頂壁部を設けたことを特徴とする請求項１記載の透水性側溝である。
【発明の効果】
【０００７】
本発明の透水性側溝によれば、路面等から集水した水を地中に浸透させることが可能であるのみならず、強度的にも優れており、地震や地中の変動によって高度の圧力がかかった場合にも地中で破壊することなく、亀裂部等からの汚濁物の逸散を未然に防止するとともに、水のみを透過させて近隣の土地に十分な水分を供給して、乾燥による動植物の繁殖の阻害や人間の健康への諸々の不利益の発生を未然に防止することができる。
【発明を実施するための最良の形態】
【０００８】
以下、本発明をその実施例である図面にしたがって具体的に説明する。
図１〜図７において、１は本発明の透水性側溝であって、該透水性側溝１は、主として両側壁部２，２と底部３とで形成されてなるものである。
両側壁部２，２には図に示すように頂壁部４が一体的に成形されたものが望ましいが、これに限らず、両側壁部２，２とは別体の蓋体であっても良い。頂壁部４は、図１〜図３に示すように、孔部４１を有していても良く、あるいは図５〜図８に示すように、透水性コンクリート部４２を部分的に備えていても良い。後者の場合には透水性コンクリート部４２の形状は図７や図８に示すように各種の形状とすることが可能であり、路面の水を小石や砂などを除外して側溝内に透過させることができる。頂壁部４の透水性コンクリート部４２は、一体的に成形されたものや別体の透水性ブロック体で取り替え可能なものであっても良い。なお、頂壁部４の透水性コンクリート部４２以外の個所は非透水性コンクリートで形成され、フェンス支柱５を立設するように凹部を形成することも可能である。
【０００９】
両側壁部２，２は、主として非透水性コンクリート２１で形成されているが、図１に示すように、両側壁部２，２において、又は図５に示すように片側の側壁部２において、非透水性コンクリート２１以外の部分的な箇所は、透水性コンクリート２２で形成されている。この透水性コンクリート２２で形成されている箇所は、水と接触することの多い側壁部２の下部側であって、しかも長手方向に間隔をおいた箇所である。このように、透水性コンクリート２２は、長手方向に間隔をおいて配設されているので、側壁部２は、強度的には非透水性コンクリートの強度をほぼ保持しており、しかも良好な透水性を示すことができる。透水性コンクリート２２の形状は、強度的には横方向よりも縦方向に長い形状をしていることが望ましいが、特にこの形状に限らない。透水性コンクリート２２の上部は、底部３の上端よりも高い位置にあり、透水性コンクリート２２は側溝１内を通過する水に直接に接して透水可能であることが望ましい。
【００１０】
底部３は、図４などに示すように、透水性コンクリート３３で形成した両側部３１と非透水性コンクリート３４で形成した底面部３２とからなるものである。このように、底部３の両側部３１は、透水性コンクリートで形成されているので、両側部３１の中を通して下方向に水は透過して土に吸収されることとなる。さらに、底部３の底面部３２は、非透水性コンクリートで形成されているので、水平方向にも優れた強度を有しており、地震や地中の変動によって高度の圧力がかかった場合にも地中で破壊したり、亀裂を生じることを防止することができる。なお、側溝２の底面部３２の上面は、円弧状をなしていることが望ましく、水量が少ない場合でも水は底部に集中するため、水流の速度は低下することがなく、速やかに流下することとなり、土砂等の堆積を防止することができるとともに、水の貯留による蚊の発生や汚臭の発生をも防止することができる。
【図面の簡単な説明】
【００１１】
【図１】本発明の透水性側溝の一例の正面図である。
【図２】図１のＡ−Ａ断面図である。
【図３】図１の透水性側溝の側面図である。
【図４】図１の底部の斜視図である。
【図５】本発明の透水性側溝の他の例の正面図である。
【図６】図５の透水性側溝の側面図である。
【図７】図５の透水性側溝の平面図である。
【図８】本発明の透水性側溝のさらに他の例の平面図である。
【符号の説明】
【００１２】
１      透水性側溝
２      側壁部
２１    非透水性コンクリート
２２    透水性コンクリート
３      底部
３１    両側部
３２    底面部
３３    透水性コンクリート
３４    非透水性コンクリート
４      頂壁部
４１    孔部
４２    透水コンクリート部
【図１】
2005213917.tif 000003
【図２】
2005213917.tif 000004
【図３】
2005213917.tif 000005
【図４】
2005213917.tif 000006
【図５】
2005213917.tif 000007
【図６】
2005213917.tif 000008
【図７】
2005213917.tif 000009
【図８】
2005213917.tif 000010